(57)【要約】【課題】被検体がその運動能力の高低にかかわらず乗り降りを容易に行うことができる医療装置用テーブルを提供する。【解決手段】被検体を載置する載置面を有する医療装置用テーブルにおいて、当該医療装置用テーブルの長手方向に沿った側面に、扉構造体を備えており、前記扉構造体は、扉部と、前記扉部における鉛直方向の一端を支軸とする水平軸回動と複数の水平軸回動位置でのロックとを可能にする水平軸回動ロック機構と、前記扉部における水平方向の一端を支軸とする鉛直軸回動と複数の鉛直軸回動位置でのロックとを可能にする鉛直軸回動ロック機構と、を有する構成とする。【選択図】図５
2014183957.tif 000002
【特許請求の範囲】
【請求項１】
被検体を載置する載置面を有する医療装置用テーブルであって、
当該医療装置用テーブルの長手方向に沿った側面に、扉構造体を備えており、
前記扉構造体は、
扉部と、
前記扉部における鉛直方向の一端を支軸とする水平軸回動と複数の水平軸回動位置でのロックとを可能にする水平軸回動ロック機構と、
前記扉部における水平方向の一端を支軸とする鉛直軸回動と複数の鉛直軸回動位置でのロックとを可能にする鉛直軸回動ロック機構と、を有する医療装置用テーブル。
【請求項２】
前記複数の水平軸回動位置は、前記扉部が前記水平軸回動の支軸に対して上向きとなる水平軸回動位置と、前記扉部が前記水平軸回動の支軸に対して下向きとなる水平軸回動位置とを含み、
前記複数の鉛直軸回動位置は、前記扉部の前記側面に対する開き角度が実質的に０°となる第１の鉛直軸回動位置と、該開き角度が実質的に０°より大きく１８０°以下となる第２の鉛直軸回動位置とを含む、請求項１に記載の医療装置用テーブル。
【請求項３】
前記扉構造体は、当該医療装置用テーブルの長手方向における中央に、左右対称となるよう対を成して設けられている、請求項１または請求項２に記載の医療装置用テーブル。
【請求項４】
前記扉構造体は、当該医療装置用テーブルの長手方向に沿った両方の側面にそれぞれ設けられている、請求項１から請求項３のいずれか一項に記載の医療装置用テーブル。
【請求項５】
前記載置面を昇降させる昇降部を備えており、
前記扉部は、当前記載置面が最下位置にあり、該扉部が前記上向きの水平軸回動位置にあるとき、床からの高さが３００ｍｍ以上４００ｍｍ以下となる位置に配される板状の部材を有している、請求項２に記載の医療装置用テーブル。
【請求項６】
前記複数の水平軸回動位置は、前記扉部が前記水平軸回動の支軸に対して水平となる水平軸回動位置を含む、請求項２または請求項５に記載の医療装置用テーブル。
【請求項７】
前記扉構造体は、前記載置面が最下位置にあり、前記扉部が前記上向きの水平軸回動位置にあるとき、床から前記扉部の上端までの高さが５００ｍｍ以上８００ｍｍ以下となるように構成されている、請求項２、請求項５、または請求項６に記載の医療装置用テーブル。
【請求項８】
前記扉部は、前記上向きの水平軸回動位置にあるときの該扉部の上側角部の一方が、曲率半径１５０ｍｍ以上３００ｍｍ以下の湾曲形状となるよう形成されている、請求項２、請求項５、請求項６、または請求項７に記載の医療装置用テーブル。
【請求項９】
前記扉部は、水平方向の幅が３００ｍｍ以上５００ｍｍ以下となるように形成されている、請求項１から請求項８のいずれか一項に記載の医療装置用テーブル。
【請求項１０】
前記水平軸回動ロック機構は、前記扉部における鉛直方向の一端に接続されており、水平方向に延びる第１の筒状部材と、前記第１の筒状部材の一端の開口から挿入されており、該第１の筒状部材と嵌合する第１の嵌合部材と、前記第１の筒状部材の他端の開口から挿入されており、該第１の筒状部材の筒内において該第１の筒状部材および前記第１の嵌合部材と係合する第１の係合部材とを有しており、
前記鉛直軸回動ロック機構は、前記第１の嵌合部材の水平方向の一端に接続されており、鉛直方向に延びる第２の筒状部材と、前記第２の筒状部材の一端の開口から挿入されており、該第２の筒状部材と嵌合する第２の嵌合部材と、前記第２の筒状部材の他端の開口から挿入されており、該第２の筒状部材の筒内において該第２の筒状部材および前記第２の嵌合部材と係合する第２の係合部材と、前記側面に固定されており、前記第２の嵌合部材を支持する支持部とを有している、請求項１から請求項９のいずれか一項に記載の医療装置用テーブル。
【請求項１１】
前記水平軸回動ロック機構および鉛直軸回動ロック機構は、周方向に形成された複数の凸部と、周方向に形成されており前記凸部に嵌合する複数の凹部とを有する請求項１０に記載の医療装置用テーブル。
【請求項１２】
請求項１から請求項１１のいずれか一項に記載の医療装置用テーブルを備えた医療装置。
【請求項１３】
前記被検体の磁気共鳴撮影を行う、請求項１２に記載の医療装置。
【請求項１４】
前記扉構造体は、非磁性体により構成されている、請求項１３に記載の医療装置。
【請求項１５】
前記被検体の放射線断層撮影を行う、請求項１２に記載の医療装置。
【請求項１６】
前記被検体の放射線治療を行う、請求項１２に記載の医療装置。
【発明の詳細な説明】
【技術分野】
【０００１】
本発明は、被検体を載置するための医療装置用テーブル（table）、および当該テーブルを備えた医療装置に関する。
【背景技術】
【０００２】
従来、医療装置用テーブルとして、テーブルの側面に、コの字型の手すりを水平軸回動可能に設け、その手すりを上向きや下向きに変更して固定することができるテーブルが提案されている（特許文献１，図１９〜２１等参照）。
【０００３】
このようなテーブルによれば、被検体がテーブルの乗り降りを行う際には、手すりを下向きにすることで、その乗り降りの邪魔にならないようにすることができる。また、運動能力が低い被検体がテーブル上で横になったり起き上がったりするときなど、手すりが必要なときには、手すりを上向きにすることで、簡単に対応することができる。
【先行技術文献】
【特許文献】
【０００４】
【特許文献１】特開２０１１−９２５４５号公報
【発明の概要】
【発明が解決しようとする課題】
【０００５】
しかしながら、上記テーブルでは、被検体がテーブルの乗り降りを行う際には、常に手すりを下向きにしておかなければならない。そのため、被検体がテーブルの乗り降りを行う際に手すりを掴みたいと考える場合であっても、手すりを掴むことができない。例えば、被検体が車椅子に乗っている場合や、高齢もしくは障害により運動能力が低い場合には、テーブルの乗り降りを行う際に、手すりを掴みたいというニーズ（needs）がある。しかし、このような場合においても、被検体は、手すりに掴まることができず、操作者等から大きな補助を受ける必要があり、依然として乗り降りに困難が伴う。
【０００６】
このような事情により、被検体がその運動能力の高低にかかわらず乗り降りし易い医療装置用テーブル、および当該テーブルを備えた医療装置が望まれている。
【課題を解決するための手段】
【０００７】
第１の観点の発明は、
被検体を載置する載置面を有する医療装置用テーブルであって、
当該医療装置用テーブルの長手方向に沿った側面に、扉構造体を備えており、
前記扉構造体が、
扉部と、
前記扉部における鉛直方向の一端を支軸とする水平軸回動と複数の水平軸回動位置でのロック（lock）とを可能にする水平軸回動ロック機構と、
前記扉部における水平方向の一端を支軸とする鉛直軸回動と複数の鉛直軸回動位置でのロックとを可能にする鉛直軸回動ロック機構と、を有する医療装置用テーブルを提供する。
【０００８】
第２の観点の発明は、
前記複数の水平軸回動位置が、前記扉部が前記水平軸回動の支軸に対して上向きとなる水平軸回動位置と、前記扉部が前記水平軸回動の支軸に対して下向きとなる水平軸回動位置とを含み、
前記複数の鉛直軸回動位置が、前記扉部の前記側面に対する開き角度が実質的に０°となる第１の鉛直軸回動位置と、該開き角度が実質的に０°より大きく１８０°以下となる第２の鉛直軸回動位置とを含む、上記第１の観点の医療装置用テーブルを提供する。
【０００９】
第３の観点の発明は、
前記扉構造体が、当該医療装置用テーブルの長手方向における中央に、左右対称となるよう対を成して設けられている、上記第１の観点または第２の観点の医療装置用テーブルを提供する。
【００１０】
第４の観点の発明は、
前記扉構造体が、当該医療装置用テーブルの長手方向に沿った両方の側面にそれぞれ設けられている、上記第１の観点から第３の観点のいずれか一つの観点の医療装置用テーブルを提供する。
【００１１】
第５の観点の発明は、
前記載置面を昇降させる昇降部を備えており、
前記扉部が、当前記載置面が最下位置にあり、該扉部が前記上向きの水平軸回動位置にあるとき、床からの高さが３００ｍｍ以上４００ｍｍ以下となる位置に配される板状の部材を有している、上記第２の観点の医療装置用テーブルを提供する。
【００１２】
第６の観点の発明は、
前記複数の水平軸回動位置が、前記扉部が前記水平軸回動の支軸に対して水平となる水平軸回動位置を含む、上記第２の観点または第５の観点の医療装置用テーブルを提供する。
【００１３】
第７の観点の発明は、
前記扉構造体が、前記載置面が最下位置にあり、前記扉部が前記上向きの水平軸回動位置にあるとき、床から前記扉部の上端までの高さが５００ｍｍ以上８００ｍｍ以下となるように構成されている、上記第２の観点、第５の観点、または第６の観点の医療装置用テーブルを提供する。
【００１４】
第８の観点の発明は、
前記扉部が、前記上向きの水平軸回動位置にあるときの該扉部の上側角部の一方が、曲率半径１５０ｍｍ以上３００ｍｍ以下の湾曲形状となるよう形成されている、上記第２の観点、第５の観点、第６の観点、または第７の観点の医療装置用テーブルを提供する。
【００１５】
第９の観点の発明は、
前記扉部が、水平方向の幅が３００ｍｍ以上５００ｍｍ以下となるように形成されている、上記第１の観点から第８の観点のいずれか一つの観点の医療装置用テーブルを提供する。
【００１６】
第１０の観点の発明は、
前記水平軸回動ロック機構が、前記扉部における鉛直方向の一端に接続されており、水平方向に延びる第１の筒状部材と、前記第１の筒状部材の一端の開口から挿入されており、該第１の筒状部材と嵌合する第１の嵌合部材と、前記第１の筒状部材の他端の開口から挿入されており、該第１の筒状部材の筒内において該第１の筒状部材および前記第１の嵌合部材と係合する第１の係合部材とを有しており、
前記鉛直軸回動ロック機構が、前記第１の嵌合部材の水平方向の一端に接続されており、鉛直方向に延びる第２の筒状部材と、前記第２の筒状部材の一端の開口から挿入されており、該第２の筒状部材と嵌合する第２の嵌合部材と、前記第２の筒状部材の他端の開口から挿入されており、該第２の筒状部材の筒内において該第２の筒状部材および前記第２の嵌合部材と係合する第２の係合部材と、前記側面に固定されており、前記第２の嵌合部材を支持する支持部とを有している、上記第１の観点から第９の観点のいずれか一つの観点の医療装置用テーブルを提供する。
【００１７】
第１１の観点の発明は、
前記水平軸回動ロック機構および鉛直軸回動ロック機構が、周方向に形成された複数の凸部と、周方向に形成されており前記凸部に嵌合する複数の凹部とを有する上記第１０の観点の医療装置用テーブルを提供する。
【００１８】
第１２の観点の発明は、
上記第１の観点から第１１の観点のいずれか一つの観点の医療装置用テーブルを備えた医療装置を提供する。
【００１９】
第１３の観点の発明は、
前記被検体の磁気共鳴撮影を行う、上記第１２の観点の医療装置を提供する。
【００２０】
第１４の観点の発明は、
前記扉構造体が、非磁性体により構成されている、上記第１３の観点の医療装置を提供する。
【００２１】
第１５の観点の発明は、
前記被検体の放射線断層撮影を行う、上記第１２の観点の医療装置を提供する。
【００２２】
第１６の観点の発明は、
前記被検体の放射線治療を行う、上記第１２の観点の医療装置を提供する。
【発明の効果】
【００２３】
上記観点の発明によれば、テーブルの側面に、扉部とその水平軸回動ロック機構および鉛直軸回動ロック機構とを有する扉構造体を備えているので、車椅子に乗る被検体や高齢もしくは障害により運動能力が低い被検体に対しては、扉部を鉛直軸回動により開いてロックすることで、被検体はその扉部を掴みながらテーブルの乗り降りを行うことができ、一方、運動能力が高い被検体に対しては、扉部を鉛直軸回動により開き水平軸回動により下向きに下ろすことで、扉部が邪魔にならずにテーブルの乗り降りを行うことができる。このように、被検体の運動能力に応じてテーブルの乗り降りがし易いようにテーブルを変形させることができる。その結果、被検体はその運動能力の高低にかかわらずテーブルの乗り降りがし易くなる。
【図面の簡単な説明】
【００２４】
【図１】発明の実施形態に係る磁気共鳴撮影装置を示す図である。
【図２】テーブルの構成を示す図である。
【図３】扉構造体の構成を示す第１図である。
【図４】扉構造体の構成を示す第２図である。
【図５】扉部の回動範囲を示す図である。
【図６】扉構造体の第１の機能を説明するための図である。
【図７】扉構造体の第２の機能を説明するための図である。
【図８】扉構造体の第３の機能を説明するための図である。
【図９】扉構造体の第４の機能を説明するための図である。
【図１０】車椅子に乗った被検体がテーブルに乗るときの被検体および操作者の動作の流れを示す図である。
【発明を実施するための形態】
【００２５】
以下、発明の実施形態について説明する。なお、これにより、発明が限定されるものではない。
【００２６】
図１に、本実施形態に係る磁気共鳴撮影装置（医療装置）１の構成を概略的に示す。同図に示すように、磁気共鳴撮影装置１は、ガントリ（gantry）１０と、テーブル２０と、操作コンソール（console）３０とを有している。
【００２７】
ガントリ１０は、空洞部１１を有している。被検体８１は、この空洞部１１内に搬送される。ガントリ１０は、内部に設けられたマグネット（magnet）により空洞部１１内に静磁場を形成し、また、内部のコイル（coil）部１４を駆動して空洞部１１内に勾配磁場を発生させる。受信コイル１５は、被検体８１から発生した磁気共鳴信号を受信して、操作コンソール３０に送信する。
【００２８】
テーブル２０は、被検体８１を空洞部１１に対して搬入および搬出する。
【００２９】
操作コンソール３０は、被検体８１に対して撮影が行われるよう、ガントリ１０およびテーブル２０を制御する。また、操作コンソール３０は、受信コイル１５からの出力信号を受信し、その信号を基に画像を再構成する。
【００３０】
図２は、テーブル２０の構成を示す図である。図２に示すように、テーブル２０は、被検体８１を載置するためのクレードル（cradle）２１と、クレードル２１を水平直線移動可能に支持するクレードル支持体２２と、クレードル支持体２２を昇降させる昇降部２３とを有している。
【００３１】
クレードル２１は、鉛直方向に見たときに略矩形状を成しており、被検体８１を載置するための載置面を有している。クレードル支持体２２は、クレードル２１を被検体８１の体軸方向に水平直線移動できるように支持している。昇降部２３は、クレードル支持体２２を鉛直方向に昇降させる駆動部（不図示）を有しており、昇降部２３の底部は、床に固定されている。なお、ここでは、クレードル２１の水平直移動方向を、ｚ軸方向という。
【００３２】
クレードル支持体２２の長手方向に沿った両方の側面２２ｓには、それぞれ、その側面２２ｓのｚ軸方向の略中央に、左右対称な一対の扉構造体２５が、互いに近接して取り付けられている。
【００３３】
以下、扉構造体２５の構成について詳述する。
【００３４】
図３は、扉構造体２５の構成を示す第１図である。図３に示すように、扉構造体２５は、扉部２６と、扉部２６における鉛直方向（図３では上下方向）の一端を支軸とした水平軸回動（水平軸まわりの回動）とその多段階的な複数の水平軸回動位置でのロックとを可能にする水平軸回動ロック機構２７と、扉部２６における水平方向（図３では左右方向）の一端を支軸とした鉛直軸回動（鉛直軸まわりの回動）とその多段階的な複数の鉛直軸回動位置でのロックとを可能にする鉛直軸回動ロック機構２８とを有している。扉構造体２５は、非磁性体で構成されており、例えば、アルミニウム（aluminum）やステンレス（stainless-steel）、プラスチック（plastic）樹脂等により構成されている。
【００３５】
図４は、扉構造体２５の構成を示す第２図である。図４に示すように、扉部２６は、全体として、水平方向を長手方向とし、水平方向に垂直な方向を短手方向とする矩形を板面とした板形状に近い形状を有している。扉部２６は、水平方向に沿って互いに平行に延びる２辺縁を長辺とした矩形を板面とする板状部材２６１と、板状部材２６１の水平方向の一端からその板面の短辺方向に延びる第１の柱状部材２６２と、板状部材２６１の水平方向の他端からその板面の短辺方向であって第１の柱状部材２６２と同方向に延びる第２の柱状部材２６３と、板状部材２６１の板面の長辺と平行に延びる第３の柱状部材２６４と、円弧状に湾曲しており第１の柱状部材２６２と第３の柱状部材２６４とを繋ぐ第１の湾曲部材２６５と、円弧状に湾曲しており第２の柱状部材２６３と第３の柱状部材２６４とを繋ぐ第２の湾曲部材２６６とを有している。なお、第１の柱状部材２６２〜第２の湾曲部材２６６は、例えば、パイプ（pipe）状部材により構成されている。また、板状部材２６１〜第２の湾曲部材２６６は、一体的に形成されている。
【００３６】
また、扉部２６は、板状部材２６１〜第２の湾曲部材２６６によって囲まれる領域を占めるように配される窓部材２６７を有している。窓部材２６７は、光透過性を有し、剛性が比較的高い部材、例えば、透明または半透明なアクリル（acrylic）板等により構成されている。
【００３７】
水平軸回動ロック機構２７は、板状部材２６１の外側の長辺部分に沿って接続固定されており水平方向に延びる円筒状の第１の筒状部材２７１と、第１の筒状部材２７１の第２の柱状部材２６３寄りの一端側の開口から挿入され筒内部に嵌合する円柱状または円筒状の第１の嵌合部材２７２と、第１の筒状部材２７１の他端側の開口から筒内部に抜き挿しされる円柱状または円筒状の抜挿部が形成された水平軸回動ロックノブ（lock knob）２７３とを有している。
【００３８】
水平軸回動ロックノブ２７３の抜挿部は、第１の筒状部材２７１の筒内部で、第１の嵌合部材２７２と係合しており、ガイド（guide）（不図示）によって第１の筒状部材２７１への抜き挿しが可能になっている。水平軸回動ロックノブ２７３の抜挿部の外周と、第１の筒状部材２７１の他端側の内周とのうち、一方には、周方向に複数の凹部（不図示）が一定間隔で形成されており、他方には、その凹部に嵌合する複数の凸部（不図示）が一定間隔で設けられている。水平軸回動ロックノブ２７３の抜挿部を第１の筒状部材２７１から抜き出したときに、凸部が凹部から外れて、第１の筒状部材２７１は水平軸回動可能になる。逆に、水平軸回動ロックノブ２７３の抜挿部を第１の筒状部材２７１に挿入すると、凸部が凹部に嵌合し、第１の筒状部材２７１は所定の水平軸回動位置でロックされる。凸部と凹部との嵌合角度により、扉部２６の水平軸回動位置が決まる。なお、この凸部と凹部とを用いた回動ロック機構は、回動ロック機構の一例であり、本例に限定されるものではない。
【００３９】
鉛直軸回動ロック機構２８は、第１の嵌合部材２７２の水平方向における一端であって、水平軸回動ロックノブ２７３の側とは逆側の一端に接続固定されており、鉛直方向に延びる円筒状の第２の筒状部材２８１と、第２の筒状部材２８１の一端側の開口から筒内部に挿入され嵌合する円柱状または円筒状の第２の嵌合部材２８２と、第２の筒状部材２８１の他端側の開口から筒内部に抜き挿しされる抜挿部が形成された鉛直軸回動ロックノブ２８３と、第２の嵌合部材２８２を支持し、クレードル支持体２２の側面２２ｓに固定される支持部２８４とを有している。
【００４０】
鉛直軸回動ロック機構２８は、基本的に、水平軸回動ロック機構２７と同様の機構を有しており、同様の仕組みにより鉛直軸回動と所定の鉛直軸回動位置でのロックとを可能にする。よって、ここでは、鉛直軸回動ロック機構２８に対する説明を省略する。
【００４１】
図５は、扉部２６の回動範囲を示す図である。
【００４２】
扉部２６は、水平軸回動においては、３６０°回動可能であり、少なくとも、扉部２６が水平軸回動の支軸に対して最も上向きとなる第１の水平軸回動位置と、扉部２６が水平軸回動の支軸に対して最も下向きとなる第２の水平時回動位置とにおいてロック可能である。本例では、扉部２６は、３０°刻みでロック可能であり、上記の第１の水平軸回動位置、第２の水平軸回動位置のほか、扉部２６が水平となる第３の水平軸回動位置を含む複数の水平軸回動位置においてロックが可能である。したがって、扉部２６は、水平軸回動におけるクレードル支持体２２の側面２２ｓからの開き角度（以下、水平軸回動角という）αとして、０°，３０°，・・・,３００°，３３０°を採ることができるようになっている。なお、扉部２６は、１５°刻みや４５°刻みでロック可能としてもよいし、ほぼ連続的な所望の水平軸回動位置でロック可能としてもよい。
【００４３】
また、扉部２６は、鉛直軸回動においては、１８０°回動可能であり、少なくとも、扉部２６が鉛直軸回動の支軸に対して最も内向き（ｚ軸方向の最も中央寄り）となる第１の鉛直軸回動位置と、扉部２６が鉛直軸回動の支軸に対して最も外向き（ｚ軸方向の最も端寄り）となる第２の鉛直軸回動位置と、扉部２６が側面２２ｓに対して垂直となる第３の鉛直軸回動位置とにおいてロック可能である。本例では、扉部２６は、４５°刻みでロック可能であり、上記の第１〜第３の鉛直軸回動位置を含む複数の鉛直軸回動位置においてロックが可能である。したがって、扉部２６は、鉛直軸回動におけるクレードル支持体２２の側面２２ｓからの開き角度（以下、鉛直軸回動角という）βとして、０°，４５°，９０°,１３５°，１８０°を採ることができるようになっている。なお、扉部２６は、１５°刻みや３０°刻みでロック可能としてもよいし、ほぼ連続的な所望の鉛直軸回動位置でロック可能としてもよい。
【００４４】
扉構造体２５は、扉部２６すなわち第１の筒状部材２７１が第１の水平軸回動位置にあるとき、扉部２６の要部がクレードル２１の載置面より上方に位置するように構成されている。また、扉構造体２５は、扉部２６が第２の水平軸回動位置にあるとき、扉部２６がクレードル２１の載置面より下方に位置するように構成されている。
【００４５】
以下、扉構造体２５が有する複数の機能について説明する。なお、ここでは、水平軸回動角α＝０°、かつ、鉛直軸回動角β＝０°となる位置を、扉構造体２５のホームポジション（home position）という。
【００４６】
（第１の機能：車椅子からの立ち上がりをサポート（support）する機能）
扉構造体２５は、第１の機能として、被検体８１が車椅子から立ち上がる動作をサポートする機能を有している。
【００４７】
図６は、扉構造体２５の第１の機能を説明するための図である。例えば、図６に示すように、テーブル２０を最下位置にし、右側及び左側の扉構造体２５のうち一方の扉部２６を、水平軸回動角α＝０°，鉛直軸回動角β＝９０°または１３５°とし、他方の扉部２６を、水平軸回動角α＝１８０°，鉛直軸回動角β＝１８０°とする。つまり、一方の扉部２６を、ホームポジションから左右方向に９０°または１３５°開いた状態にしてロックし、他方の扉部２６を、ホームポジションから左右方向に１８０°開き、水平軸回動により下方に下ろしてロックする。この状態で、車椅子９０に乗った被検体８１には、その両膝が、上記一方の扉部２６の板状部材２６１または窓部材２６７に近接するよう移動してもらう。そして、被検体８１に、その両膝を板状部材２６１または窓部材２６７に当接させながら、上記一方の扉部２６の上端部すなわち第３の柱状部材２６４をグリップ（grip）として掴んでもらい、立ち上がってもらう。このようにすると、被検体８１は、膝を伸ばす動作において、膝を支える力を大幅に軽減させることができ、より少ない力で安定に立ち上がることができる。
【００４８】
なお、床に立った被検体８１の膝の床面からの高さは、おおよそ３００ｍｍ〜４００ｍｍ程度と考えられる。そこで、被検体８１が車椅子から立ち上がる際に、両膝がしっかりと支持されるよう、扉構造体２５は、例えば、テーブル２０の載置面が最下位置にあり、第１の筒状部材２７１が第１の水平軸回動位置（α＝０°）にあるとき、床からの高さが３００ｍｍ以上４００ｍｍ以下の範囲に板状の部材、すなわち板状部材２６１または窓部材２６７が位置するように構成されることが望ましい。
【００４９】
また、被検体８１にとっての使い易さ、操作者にとっての扱いやすさ、省スペース（space）化などを考慮すると、扉部２６の水平方向の幅は、３００ｍｍ以上５００ｍｍ以下となるようにすることが望ましい。
【００５０】
（第２の機能：テーブルへの乗り降りをサポートする機能）
扉構造体２５は、第２の機能として、被検体８１がテーブル２０に対して乗り降りする動作をサポートする機能を有している。
【００５１】
図７は、扉構造体２５の第２の機能を説明するための図である。例えば、図７に示すように、テーブル２０を最下位置にし、右側及び左側の扉構造体２５のうち一方の扉部２６を、水平軸回動角α＝０°，鉛直軸回動角β＝９０°または１３５°とし、他方の扉部２６を、水平軸回動角α＝１８０°，鉛直軸回動角β＝１８０°とする。つまり、一方の扉部２６をホームポジションから左右方向に９０°か１３５°開いた状態にしてロックし、他方の扉部２６をホームポジションから左右方向に１８０°開いて下方に下ろしてロックする。この状態で、車椅子に乗る被検体８１や運動能力の低い被検体８１には、上記一方の扉部２６の上端部である第３の柱状部材２６４、あるいは上側角部である第２の湾曲部材２６６をグリップとして掴んでもらう。次に、クレードル２１の載置面に腰を下ろしてもらう。その後は、両脚を、上記他方の扉部２６の上をまたぐようにしてクレードル２１に乗せてもらう。このようにすると、被検体８１は、無理な姿勢を取ることなく、テーブル２０に乗ることができる。被検体８１は、テーブル２０から降りるときも、乗るときと逆の手順で動くことにより、無理な姿勢を取ることなく、テーブル２０から降りることができる。
【００５２】
なお、被検体８１がテーブル２０の乗り降りを行う際に掴み易いグリップの床面からの高さは、おおよそ５００ｍｍ〜８００ｍｍ程度であると考えられる。そこで、被検体８１が扉部２６の上端部をグリップとして掴み易いよう、扉構造体２５は、例えば、テーブル２０が最下位置にあり、第１の筒状部材２７１が第１の水平軸回動位置（α＝０°）にあるとき、床面からの高さが５００ｍｍ以上８００ｍｍ以下の範囲に第３の柱状部材２６４が位置するように構成することが望ましい。また、被検体８１が掴み易いグリップの太さは、おおよそ直径３０ｍｍ〜５０ｍｍ程度であると考えられる。そこで、被検体８１が扉部２６の上端部をグリップとして掴み易いよう、扉構造体２５は、例えば、第３の柱状部材２６４の太さが直径３０ｍｍ以上５０ｍｍ以下となるよう構成することが望ましい。
【００５３】
なお、上述したように、一対の扉構造体２５は、クレードル支持体２２の側面２２ｓにおけるｚ軸方向の中央に互いに左右対称となるように設けられている。そのため、上記第１および第２の機能においては、テーブル２０上で被検体８１の頭部を向ける方向が逆になった場合でも、左右の扉構造体２５の状態を単純に逆にするだけで対応することができる。
【００５４】
（第３の機能：テーブル上での寝起きをサポートする機能）
扉構造体２５は、第３の機能として、被検体８１がテーブル２０上で寝起きする動作をサポートする機能を有している。
【００５５】
図８は、扉構造体２５の第３の機能を説明するための図である。例えば、図８に示すように、被検体８１がテーブル２０のクレードル２１に乗った状態にあるとき、右側及び左側の扉構造体２５のうち少なくとも被検体８１の頭部に近い側の扉部２６を、ホームポジションにしてロックする。仮に、被検体８１がテーブル２０に乗った直後であれば、この扉部２６は、ホームポジションから左右方向に開いた状態となっているはずなので、これを元に戻すようにすればよい。この状態で、被検体８１には、臀部をクレードル２１の載置面に着けて座っている姿勢から、横になっている姿勢（寝ている姿勢）をとるとき、逆に、横になっている姿勢から起き上がって、臀部をクレードル２１の載置面に着けて座っている姿勢をとるときに、頭部に近い側の扉部２６の第２の湾曲部材２６６をグリップとして掴んでもらう。このようにすると、被検体８１は、上半身に掛かる荷重を分散させることができ、比較的楽に寝起きを行うことができる。
【００５６】
なお、被検体８１がテーブル２０上で寝起きをする際に掴み易いグリップの形状は、曲率半径がおおよそ１５０ｍｍ〜３００ｍｍ程度の湾曲形状であると考えられる。そこで、被検体８１がテーブル２０上で寝起きをする際に扉部２６の上角部をグリップとして掴み易いよう、扉構造体２５は、例えば、第２の湾曲部材２６６が曲率半径１５０ｍｍ以上３００ｍｍ以下で湾曲するよう構成するとよい。また、被検体８１が掴み易いグリップの太さは、おおよそ直径３０ｍｍ〜５０ｍｍ程度と考えられるので、第２の湾曲部材２６６の径が直径３０ｍｍ以上５０ｍｍ以下となるよう構成することが望ましい。
【００５７】
（第４の機能：テーブルからの転落を防止する機能）
扉構造体２５は、第４の機能として、被検体８１がテーブル２０から転落するのを防止する機能を有している。
【００５８】
図９は、扉構造体２５の第４の機能を説明するための図である。例えば、図９に示すように、被検体８１がテーブル２０のクレードル２１に乗った状態あるいは寝ている状態にあるとき、右側及び左側の扉構造体２５の両方の扉部２６を、ホームポジションにしてロックする。このようにすると、被検体８１は、横に移動してもクレードル２１から外側には出ないように押さえられるので、転落を防止することができる。また、扉構造体２５によって転落防止策が成されていることで、被検体８１に安心感を与えることができる。
【００５９】
なお、運動能力が高い歩行可能な被検体８１や、ストレッチャ−テーブル間で被検体８１を移乗させる場合には、扉構造体２５はかえってテーブル２０への乗り降りの障害になる可能性がある。このような場合には、扉構造体２５が被検体８１のテーブル２０への乗り降りの障害にならないよう、乗り降りする側の一対の扉構造体２５を、それぞれ、水平軸回動角α＝１８０°，鉛直軸回動角β＝１８０°の状態にすればよい。つまり、左右両方の扉部２６をホームポジションから左右方向に開き、下方に下ろしてロックした状態にすればよい。
【００６０】
図１０は、車椅子９０に乗った被検体８１がテーブル２０に乗るときの被検体８１および操作者の動作の流れを示す図である。
【００６１】
ステップ（step）Ｓ１では、操作者８２は、事前に、テーブル２０の左右の扉構造体２５のうち、被検体８１の頭部が載置される方向側の一方の扉部２６を、ホームポジションから鉛直軸回動により９０°〜１３５°程開いてロックする。また、他方の扉部２６をホームポジションから鉛直軸回動により左右方向に１８０°開き、さらに水平軸回動により１８０°開いて下方に下ろしロックしておく。操作者８２は、車椅子９０に乗った被検体８１を、上記一方の扉部２６の前まで案内する。そして、被検体８１に、必要に応じて上記一方の扉部２６の扉面に両膝を当ててもらい、また、上記一方の扉部２６の上端部を掴んでもらい、立ち上がってもらう。
【００６２】
ステップＳ２では、被検体８１に、上記一方の扉部２６の上端部や上側角部を掴んでテーブル２０上に腰を下ろしてもらう。操作者８２は、その動作を補助する。
【００６３】
ステップＳ３では、被検体８１に、体の向きを整えてもらい、テーブル２０上に安定した姿勢で座ってもらう。操作者８２は、その被検体８１の動作を補助する。
【００６４】
ステップＳ４では、被検体８１に、臀部をテーブル２０の中央まで移動してもらう。
【００６５】
ステップＳ５では、被検体８１に、両脚を上記他方の扉部２６の上を通して、テーブル２０に上げてもらう。
【００６６】
ステップＳ６では、操作者８２は、上記一方の扉部２６を閉じてホームポジションに戻す。そして、被検体８１に、上記一方の扉部２６の上側角部を掴みながら上体を倒してもらう。
【００６７】
ステップＳ７では、被検体８１に、テーブル２０上に完全に横になってもらう。操作者８２は、被検体８１の位置を確認し、必要に応じて位置を微調整する。
【００６８】
ステップＳ８では、操作者８２は、テーブル２０を操作して適当な高さまで上昇させる。
【００６９】
以上、本実施形態によれば、テーブル２０の側面２２ｓに、扉部２６とその水平軸回動ロック機構２７および鉛直軸回動ロック機構２８とを有する扉構造体２５を備えているので、車椅子９０に乗る被検体８１や高齢もしくは障害により運動能力が低い被検体８１に対しては、扉部２６を鉛直軸回動により左右方向に開いてロックすることで、被検体８１はその扉部２６を掴みながらテーブル２０の乗り降りを行うことができる。一方、運動能力が高い被検体８１に対しては、扉部２６を鉛直軸回動により左右方向に開き水平軸回動により下向きに下ろすことで、扉部２６が邪魔にならずにテーブル２０の乗り降りを行うことができる。このように、被検体８１の運動能力に応じてテーブル２０の乗り降りがし易いようにテーブル２０を変形させることができる。その結果、被検体８１はその運動能力の高低にかかわらずテーブル２０の乗り降りがし易くなる。
【００７０】
また、本実施形態では、ストレッチャ−テーブル間で被検体８１を移乗させる場合にも、扉部２６を鉛直軸回動により左右方向に開き水平軸回動により下向きに下ろすことで、扉部２６が邪魔にならずに被検体８１を移乗させることができる。
【００７１】
また、本実施形態では、操作者８２も、被検体８１の動作のサポート量を減らすことができ、操作者８２、被検体８１ともに、身体的負担を軽減することができる。
【００７２】
また、本実施形態では、被検体８１のテーブル２０の乗り降りに係る作業の効率が改善されるので、検査時間を短縮することができ、検査の生産性を向上させることができる。
【００７３】
また、本実施形態では、床に立った被検体８１の膝の高さに、扉部２６の板状部材２６１または窓部材２６７が配されるように構成されているので、特に車椅子の被検体は８１は、車椅子から立ち上がる際に、膝をその板状部材２６１または窓部材２６７に当てながら立ち上がることができる。そのため、車椅子の被検体８１は、立ち上がる際の膝を伸ばす動作において、膝を支える力を大幅に軽減させることができ、より少ない力で安定に立ち上がることができる。
【００７４】
また、本実施形態では、運動能力が高い被検体が乗り降りする場合に、扉部２６を水平方向（左右方向）に開いて下ろすことができる。そのため、扉部２６が被検体の足元にあって邪魔になるといったことがなく、従来のように扉構造体２５を取り外す必要もない。
【００７５】
また、本実施形態では、扉構造体２５は、クレードル支持体２２の両方の側面２２ｓに設けられているので、施設の事情により被検体８１のテーブル２０の乗り降りを行う側が、その両方のどちらの側面２２ｓになっても対応することができる。
【００７６】
また、本実施形態では、水平軸回動ロック機構２７は、扉部２６を、扉部２６が水平となる第３の水平軸回動位置においてロック可能にするので、機材等を被検体８１の傍らに置きたい場合に、その置き場所として利用することができる。
【００７７】
また、本実施形態では、上記のような窓部材２６７が設けられており、扉部２６に開口が形成されないので、被検体８１の腕等がこのような開口に誤って入り、クレードル２１が水平直線移動する際に、腕等を引っ掛けてしまう事故を防ぐことができる。
【００７８】
また、本実施形態では、窓部材２６８は、光透過性を有する部材で構成されているので、被検体８１がテーブル２０に乗っており、扉部２６がホームポジションにあるときでも、被検体８１は、窓部材２６８を通して外の様子を見ることができ、被検体８１に圧迫感を与えないようすることができる。
【００７９】
また、本実施形態では、扉構造体２５が、乗り降りの際に掴まる手すりとしての役目だけでなく、転落防止の役目も果たし、常に被検体８１をサポートするので、被検体８１は、緊張や恐怖感を和らげることができ、精神的負担を軽減させることができる。
【００８０】
なお、本実施形態では、一対の扉構造体２５が、クレードル支持体２２の両方の側面２２ｓに設けられているが、どちらか一方の側面２２ｓに別のタイプの扉構造体を設けるようにしてもよい。また、扉構造体２５は、必ずしも左右一対で設けられる必要はなく、単一で設けられてもよい。
【００８１】
また、扉部２６を構成する各部の最適な寸法は、国や人種によって異なるので、これらに合わせて調整するとよい。本実施形態における寸法は、アジア諸国での使用を想定したものである。よって、例えば、欧米諸国では、本実施形態における寸法の１．２〜１．５倍で調整してもよい。
【００８２】
なお、本実施形態は、発明を磁気共鳴撮影装置のテーブルに適用した例であるが、発明は、放射線断層撮影装置や放射線治療装置などの他の医療装置のテーブルにも適用可能である。
【符号の説明】
【００８３】
１  磁気共鳴撮影装置
１０  ガントリ
１１  空洞部
１４  コイル部
１５  受信コイル
２０  テーブル
２１  クレードル
２２  クレードル支持体
２３  昇降部
２５  扉構造体
２６  扉部
２６１  板状部材
２６２  第１の柱状部材
２６３  第２の柱状部材
２６４  第３の柱状部材
２６５  第１の湾曲部材
２６６  第２の湾曲部材
２６７  窓部材
２７  水平軸回動ロック機構
２７１  第１の筒状部材
２７２  第１の嵌合部材
２７３  水平軸回動ロックノブ
２８  鉛直軸回動ロック機構
２８１  第２の筒状部材
２８２  第２の嵌合部材
２８３  鉛直軸回動ロックノブ
２８４  支持部
３０  オペレータコンソール
８１  被検体
８２  操作者
９０  車椅子
【図１】
2014183957.tif 000003
【図２】
2014183957.tif 000004
【図３】
2014183957.tif 000005
【図４】
2014183957.tif 000006
【図５】
2014183957.tif 000007
【図６】
2014183957.tif 000008
【図７】
2014183957.tif 000009
【図８】
2014183957.tif 000010
【図９】
2014183957.tif 000011
【図１０】
2014183957.tif 000012